(57)【要約】【課題】種類の異なるプラグ同士を接続することで、室内側の通信設備で使用されているプラグよりも小型のプラグが接続された光ファイバケーブルを屋外からの引き込み線に使用可能として施工性を向上させた光コンセントを提供する。【解決手段】光コンセントＡのコンセント本体は、埋込配線器具用の取付枠を用いて造営構造物に埋込配設されるボディ１と、ボディ１の前面に設けた開口１ａ内に開閉自在に枢着されるカバー２とで構成され、カバー２の背面側には、造営構造物の室内側にある通信設備からの光ファイバケーブルの先端に設けられた第１のプラグ、および、第１のプラグよりも小型であって造営構造物に配線された他の光ファイバケーブルの先端に設けられた第２のプラグを光学的に結合した状態で保持するアダプタ３が取着されている。【選択図】図１
2006119231.tif 000002
【特許請求の範囲】
【請求項１】
造営構造物の室内側にある通信設備からの光ファイバケーブルの先端に設けられた第１のプラグ、および、前記第１のプラグよりも小型であって前記造営構造物に配線された他の光ファイバケーブルの先端に設けられた第２のプラグを光学的に結合した状態で保持するアダプタと、前記アダプタを保持するとともに前記造営構造物に設置されるコンセント本体とを備えて成ることを特徴とする光コンセント。
【請求項２】
前記他の光ファイバケーブルは、光ファイバを螺旋状に形成して伸縮性を持たせた光カールコードからなり、前記光カールコードと引掛係止する張力止め部を前記コンセント本体に設けたことを特徴とする請求項１記載の光コンセント。
【請求項３】
前記コンセント本体は造営構造物の室内側に露設される略箱形のケースからなり、当該ケースは、前記造営構造物への取付面以外の側面において、前記取付面と略平行な方向の両側位置を少なくとも含む複数の位置に通線用のノックアウトを有することを特徴とする請求項１又は２記載の光コンセント。
【発明の詳細な説明】
【技術分野】
【０００１】
本発明は、先端に光コネクタを有する光ファイバケーブルを接続する光コンセントに関するものである。
【背景技術】
【０００２】
従来、光ファイバケーブルを用いた光通信による情報伝送の普及に伴って、造営構造物を構成する壁の裏側や床の下側などに先行配線された光ファイバケーブルと、室内の通信設備に接続された別の光ファイバケーブルとを互いに接続するための光コンセントが提供されている（例えば、特許文献１参照）。
【０００３】
この特許文献１に示される光コンセントは、壁等の造営構造物に埋込配設されるボディを備え、このボディの内部に光ファイバケーブルの先端に設けたプラグが着脱自在に接続されるアダプタを収納してあり、造営構造物の裏側に先行配線された光ファイバケーブルと、室内の通信設備に接続された光ファイバケーブルとをそれぞれアダプタに接続することによって、光ファイバケーブル同士を光学的に結合するようになっている。
【特許文献１】特開平１−２９７６０４号公報
【発明の開示】
【発明が解決しようとする課題】
【０００４】
ところで、光ファイバケーブルを造営構造物の裏側に先行配線する場合、施工現場によって光コンセントまでの距離が異なるため、施工現場で光ファイバケーブルを所望の長さに切断してその先端にプラグを接続する必要があった。
【０００５】
しかしながら、施工現場で光ファイバケーブルを切断してその先端にプラグを接続する場合は、光ファイバケーブルを切断する際に切断面で乱反射が起きないよう、光ファイバケーブルを専用のカッターで切断し、専用の工具を用いてプラグを接続する必要があり、高価な専用工具を用意しなければならず、また施工作業も難しく熟練を要するという問題があった。
【０００６】
ところで、近年、コア部の周りに空孔を設け、量子光学的な効果で光を閉じ込めることによって、従来より小さな曲げ半径でも光損失が少ない光ファイバケーブルが開発され、このような光ファイバケーブルを螺旋状（カール状）に加工して、その先端に予めプラグを接続した光カールコードが提供されている。この光カールコードを先行配線として利用し、光カールコードを光コンセントの取付位置まで伸長させて、光カールコードの先端のプラグを光コンセントのアダプタに接続すれば、施工現場での光ファイバケーブルの切断作業やプラグの接続作業が不要になると考えられるが、光カールコードは狭い配管の内部を通すことも考慮して、一般的に使用されているＳＣ形のプラグより外径寸法の小さいＭＵ形のプラグを光カールコードの先端に接続してある。それに対して、上述の特許文献１に示される光コネクタでは、アダプタを介して同じ形式のプラグ同士を接続しているので、異種のプラグ同士を接続することができず、このような光カールコードを用いた先行配線には対応できないという問題があった。
【０００７】
本発明は上記問題点に鑑みて為されたものであり、その目的とするところは、種類の異なるプラグ同士を接続することで、室内側の通信設備で使用されているプラグよりも小型のプラグが接続された光ファイバケーブルを屋外からの引き込み線に使用可能として施工性を向上させた光コンセントを提供することにある。
【課題を解決するための手段】
【０００８】
上記目的を達成するために、請求項１の発明は、造営構造物の室内側にある通信設備からの光ファイバケーブルの先端に設けられた第１のプラグ、および、第１のプラグよりも小型であって造営構造物に配線された他の光ファイバケーブルの先端に設けられた第２のプラグを光学的に結合した状態で保持するアダプタと、アダプタを保持するとともに造営構造物に設置されるコンセント本体とを備えて成ることを特徴とする。
【０００９】
請求項２の発明は、請求項１の発明において、他の光ファイバケーブルは、光ファイバを螺旋状に形成して伸縮性を持たせた光カールコードからなり、光カールコードと引掛係止する張力止め部をコンセント本体に設けたことを特徴とする。
【００１０】
請求項３の発明は、請求項１又は２の発明において、コンセント本体は造営構造物の室内側に露設される略箱形のケースからなり、当該ケースは、造営構造物への取付面以外の側面において、取付面と略平行な方向の両側位置を少なくとも含む複数の位置に通線用のノックアウトを有することを特徴とする。
【発明の効果】
【００１１】
ところで、従来より室内側の通信設備で使用されている第１のプラグは外形寸法が大きく造営構造物の裏側の狭い空間に通しにくいため、光ファイバケーブルを先行配線して所望の長さに切断した後で、光ファイバケーブルの先端にプラグを接続する作業を行っていたが、請求項１の発明によれば、コンセント本体に保持されたアダプタは、室内側の通信設備からの光ファイバケーブルに設けた第１のプラグと、第１のプラグよりも小型であって造営構造物に配線された他の光ファイバケーブルに設けた第２のプラグとを光学的に結合した状態で保持するので、小型の第２のプラグが予め設けられた光ファイバケーブルを屋外から導入してアダプタに接続することができ、施工現場で光ファイバケーブルを切断したり、プラグを接続したりする作業が不要になるから、高価な専用工具を用意する必要がなく、また熟練を要する作業が無くなるので、施工作業の作業性が向上するという効果がある。
【００１２】
請求項２の発明によれば、造営構造物に配線された光ファイバケーブルに光カールコードを用いているので、光コンセントまでの距離に合わせて光カールコードを伸長させてアダプタに接続することで、施工現場で光ファイバケーブルを所望の長さに切断したり、プラグを接続したりする作業が不要になって、施工性が向上する。しかも、光カールコードの接続後は光カールコードが縮むので、光ファイバケーブルの余長処理が不要になって、施工性がさらに向上し、且つ、光カールコードを張力止め部に引掛係止することによって、アダプタに加わる張力を張力止め部で受けることができるから、第２のプラグがアダプタから抜けるのを防止できる。
【００１３】
請求項３の発明によれば、造営構造物への取付面以外のケースの側面において、取付面と略平行な方向の両側位置を少なくとも含む複数の位置に通線用のノックアウトを備えているので、室内の隅にケースを設置するに当たって、ケースの左側面を柱や壁に近接させた状態で設置する場合は左側のノックアウトを、ケースの右側面を柱や壁に近接させた状態で設置する場合は右側のノックアウトを使用して光ファイバケーブルを導入することで、光ファイバケーブルをできるだけ部屋の隅に寄せて配線することができ、配線の見栄えを良くできるという効果がある。
【発明を実施するための最良の形態】
【００１４】
以下に本発明の実施の形態を図面に基づいて説明する。
【００１５】
（実施形態１）
本発明の実施形態１を図１〜図９に基づいて説明する。尚、実施形態１の説明では特に断りがないかぎり、図３（ａ）に示す向きにおいて上下左右の方向を規定し、同図（ａ）中の正面を前面とする。したがって、同図（ｂ）における左端は後端となる。
【００１６】
本実施形態の光コンセントＡは、図１、図２、及び図７に示すように、埋込配線器具用にＪＩＳで規格化された取付枠８を用いて造営材に埋込配設されるボディ１、及び、ボディ１の前面に設けた開口１ａ内に開閉自在に枢着されるカバー２からなるコンセント本体と、カバー２の背面側に取着されるアダプタ３と、アダプタ３をカバー２に固定する押さえ金具４と、ボディ１の背面側に装着されて光ファイバケーブルの張力止めを行う張力止め具５とを主要な構成として備える。
【００１７】
ボディ１は、左右および上下の四方が周壁１１ａ，１１ａ，１１ｂ，１１ｃによって囲まれ、上側の略半分を前後方向に開口し、下側の略半分には背部１１ｄを一体形成した合成樹脂成型体からなり、左右の周壁１１ａ，１１ａの前側部には前端側の幅寸法を後端側の幅寸法よりも幅狭とする段部１１ｅ，１１ｅが形成されている。各段部１１ｅの外側縁の上下位置には、後述する合成樹脂製取付枠８の係止部８８ａに係止させるための各一対の被係止爪１２ａをそれぞれ一体形成し、段部１１ｅよりも前側の周壁１１ａの外側面には、金属製取付枠（図示せず）の係止爪に係止させるための２個の係合穴１２ｂが上下両側に開口している。
【００１８】
また上側の周壁１１ｂの前面部には心棒２８を回動自在に支持する軸受部１３を前方へ突出形成してあり（図１及び図６参照）、周壁１１ｂの後側部にはアダプタ３に接続されるプラグ（図示せず）を挿入するためのＵ字形の切欠１１ｆを形成してある。一方、下側の周壁１１ｃの前端部の左右両側には間隔を空けて突出部１４を膨出形成し、この突出部１４，１４の間に背部１１ｄの下端から前方に延長形成した可撓片１５ａの先部に設けた押しボタン１５を介在させるとともに、この押しボタン１５の操作面と突出部１４，１４の前面とを略同一高さとしてある。また、この押しボタン１５と可撓片１５ａの境界部には、カバー２の下端部中央に突設した係止突片２０ａおよび押さえ金具４の係止突片４５をそれぞれ係脱自在に係止する係止孔１５ｂを設けてある。
【００１９】
また、背部１１ｄの背面側からは四角筒状の支持部１７が突出形成され、この支持部１７の左右の側壁には上下両側にスリットを形成することで、厚み方向に可撓性を持たせた弾性係止片１８が形成されている。各弾性係止片１８は支持部１７の後端よりも後方に突出しており、その先端からは外側に向かって係止爪１８ａが突設されている。
【００２０】
カバー２は合成樹脂成形体であって、矩形板状の前面部２０と、この前面部２０の背面両側から後方へ延長形成した略扇形の側部２１，２１と、側部２１，２１の下側部の後縁から後方に突出する脚片２２，２２と、両側部２１，２１の下側辺間に形成された取付部２３と、前面部２０の上端部の左右両側から上方へ突出形成された軸保持部２４，２４とを一体に備える。
【００２１】
ここに、前面部２０の背面側と側部２１，２１と取付部２３とで囲まれる空間部でアダプタ３を収納保持する収納部を構成しており、取付部２３にはアダプタ３に対向させて、造営構造物の室内側の通信設備からの光ファイバケーブルの先端に設けられたＳＣ形のプラグが挿入されるプラグ挿入口２３ａが開口している（図５（ｄ）及び図６参照）。このプラグ挿入口２３ａは、前後に並んだ一対の保護扉２５，２５によって開閉自在に閉塞されており、レーザ光の外部への漏出を保護扉２５，２５で防止している。
【００２２】
また、軸保持部２４，２４は略円柱状であって、軸方向が左右方向と略平行するように並設されており、各軸保持部２４の中心には心棒２８の両端を支持する軸孔２４ａが貫通形成されている。而して、ボディ１の軸受部１３の軸受凹部１３ａ内にばね体２９を収めるとともに、軸保持部２４，２４間にボディ１の軸受部１３を介在させた後、一方の軸保持部２４の軸孔２４ａ、軸受部１３の軸受凹部１３ａ、他方の軸保持部２４の軸孔２４ａに心棒２８を挿通させることで、カバー２の上端部をボディ１に対して回動自在に枢支するようになっており、ばね体２９によってカバー２の下端側が前方に常時付勢されている。なお、ばね体２９は中央部２９ａをコ字状に折り曲げ形成するとともに、両端部に捻り部２９ｂ，２９ｂを形成して構成される。
【００２３】
また、前面部２０の背面には、アダプタ３の前面とそれぞれ当接する３個の支持リブ２６が側部２１と平行して側部２１，２１間に突出形成されており、各々の支持リブ２６は上側ほど後方への突出量が大きくなるような形状に形成されている。またカバー２の各脚片２２の後端部からは、ボディ１の左右の周壁１１ａの内側面に突設した突起１１ｇと当接する係合爪２２ａが外向きに突設されている。また各脚片２２には押さえ金具４を固定するためのねじ２７を挿通する挿通孔２２ｂが貫設されている。
【００２４】
一方、アダプタ３は、Ｆ０４形（所謂ＳＣ形）光ファイバコネクタ（ＪＩＳ  Ｃ  ５９７３参照）のプラグ（第１のプラグ）が接続される角筒状のプラグ接続部３１と、このプラグ接続部３１の一端側から延長形成されて、Ｆ１４形（所謂ＭＵ形）光ファイバコネクタ（ＪＩＳ  Ｃ  ５９８３参照）のプラグ（第２のプラグ）が接続される角筒状のプラグ接続部３２とを備えたハウジング３０を有し、プラグ接続部３１の一端側の左右両側面からは鍔３３，３３が側方に突出している。そして、ハウジング３０の内部には、プラグ接続部３１に接続されるＳＣ形プラグのフェルールと、プラグ接続部３２に接続されるＭＵ形プラグのフェルールとを整列させた状態で保持し、両フェルールを光学的に接続する従来周知のスリーブ（図示せず）が納装されている。このスリーブは、両フェルールをＰＣ（Physical Contact）接続することによって光ファイバ同士を密着させ、低損失で光学的に接続するようになっている。すなわち、アダプタ３は、室内側の通信設備で一般的に使用されるＳＣ形のプラグと、ＳＣ形に比べて小型のＭＵ形のプラグとを光学的に結合した状態で保持する機能を有しており、造営構造物の室内側にある通信設備からの光ファイバケーブルに接続された汎用のＳＣ形プラグをプラグ挿入口２３ａを通してプラグ接続部３１に接続するとともに、屋外から引き込まれて造営構造物の裏側に先行配線された光ファイバケーブルに接続されている小型のＭＵ形プラグをプラグ接続部３２に接続することができる。
【００２５】
押さえ金具４は板金に抜き加工および曲げ加工を施すことによって形成され、アダプタ３のハウジング３０後面と当接する矩形板状の当接片４０と、当接片４０の下部の左右両側縁から後方に向かって突出する支持片４１，４１と、当接片４０の下側縁の中央から斜め下向きに突出する傾斜片４２と、当接片４０の上部の左右両側縁から前方に向かって突出する保護板４３，４３とを一体に形成してある。なお各支持片４１の中間部にはねじ２７が螺合するねじ孔４４が形成され、その先端部はカバー２の脚片２２の後端部裏面（すなわち係合爪２２ａの裏側部）と対向する位置まで延長形成されている。また傾斜片４２の下側縁の中央には、可撓片１５ａの係止孔１５ｂと係止する係止突片４５が下側に向かって突設されている。
【００２６】
張力止め具５は合成樹脂成形体であって、下側の左右の角を丸めた略矩形板状の主部５１と、主部５１の上側縁から延長形成されて上側に凸となるように湾曲したガイド部５２とを一体に備える。そして、主部５１の上側部には後方に突出する円筒状の張力止め部たる引掛突起５３が左右方向に３個並設してあり、各引掛突起５３の後端部の円周面下半分からは略半円形の舌片５３ａが下側に向かって突出している。また主部５１の前面の上下方向略中間部にはボディ１の支持部１７の上側壁および下側壁の内面に当接する突片５４ａ，５４ｂが形成されるとともに、突片５４ａ，５４ｂ間を橋絡する３本の補強用リブ５４ｃが上下方向に沿って形成されており、ボディ１の弾性係止片１８，１８に対応する部位には主部５１を厚み方向に貫通する貫通孔５５，５５が形成されている。
【００２７】
ところで、上述のボディ１は、ＪＩＳ等で規格化された大角形連用配線器具用の取付枠８に３個まで並設することができる単位寸法（１個モジュール寸法）の配線器具の３個分の寸法（３個モジュール寸法）に形成されており、取付枠８を用いて造営構造物に埋込配設することができる。取付枠８は、図７のように合成樹脂により縦長の窓孔８１を有する矩形枠状に成形されており、長手方向に対向する側片８２，８２には、図示しない埋込ボックスに取り付けるためのボックスねじ用の長孔８４と、壁面に直接ねじ固定する際に用いるねじ挿通孔８５とが少なくとも設けてある。また、短幅方向に対向する側片８３ａ，８３ｂの内、一方の側片８３ａには２つで１組となった係止孔（図示せず）が略一定の間隔で長手方向に３組並設され、他方の側片８３ｂの後縁から撓み片８６が後方に向かって延設されている。この撓み片８６には３個の開口部８７が長手方向に並べて形成され、各開口部８７の後端からは突出片８８が前方へ突設してある。
【００２８】
而して、取付枠８の後方からボディ１の前面に取着されたカバー２を窓孔８１内に挿入するとともに、ボディ１の片側の被係止爪１２ａを側片８３ａの係止孔に挿入した後、ボディ１の反対側を前方へ押し込むことによって、反対側の被係止爪１２ａで撓み片８６を外側に撓ませ、突出片８８の肩部からなる係止部８８ａに載せるようにして開口部８７に挿入すれば、ボディ１を取付枠８に取り付けることができる。なお、取付枠８の前面には化粧プレート９が係止爪やねじなどを用いて取り付けられ、この化粧プレート９によって造営材に設けた取付穴や取付枠８を被蔽し、また化粧プレート９の開口窓９ａから光コンセントＡの前部を外部に露出させるようになっている。
【００２９】
次に本実施形態の光コンセントＡの組み立てについて説明する。
【００３０】
先ずカバー２の前面部２０と側部２１，２１とで囲まれる収納部に、ハウジング３０の向きを合わせてアダプタ３を挿入し、前面部２０の裏面に突設した支持リブ２６をハウジング３０の前面に当接させる。この状態で押さえ金具４の当接片４０をハウジング３０の後面に当接させるとともに、各脚片２２の内側面に押さえ金具４の支持片４１を当接させた後、脚片２２の挿通孔２２ｂに通したねじ２７を支持片４１のねじ孔４４に螺入することで、押さえ金具４をカバー２に固定し、押さえ金具４とカバー２との間にアダプタ３を挟持する。この時、各支持片４１の先端部は、各脚片２２の係合爪２２ａが突設された部位の裏側部に配置されるので、側部２１，２１を内側に押圧する力を、金属材料からなる押さえ金具４の支持片４１，４１で受けることができる。
【００３１】
次にカバー２をボディ１に組み付けるに当たっては、ボディ１の軸受部１３の下面側に、ばね体２９の中央部２９ａの中央片を係止させるとともに、軸受凹部１３ａの両端に形成した凹部（図示せず）にばね体２９の両端の捻り部２９ｂ，２９ｂを嵌め込み、軸受凹部１３ａの両端と捻り部２９ｂ，２９ｂの透孔とを連通させる。そして、カバー２の軸保持部２４，２４間に軸受部１３を介在させるようにボディ１の前面側にカバー２を配置して、一方の軸保持部２４の軸孔２４ａ、一方の捻り部２９ｂの透孔、軸受部１３の軸受凹部１３ａ、他方の捻り部２９ｂの透孔、他方の軸保持部２４の軸孔２４ａに心棒２８を挿入する。なお、心棒２８は挿入側の一端部から他端部近くまでの直径を、軸孔２４ａおよび軸受凹部１３ａの内径よりもやや細い直径とすることで挿通を可能にしているが、他端部２８ａの直径を軸孔２４ａの内径よりも太い径に形成するとともに外面にローレット加工を施しており、この他端部２８ａが最終的に軸孔２４ａに圧入されることで心棒２８がボディ１に固定される。
【００３２】
このとき、ばね体２９の捻り部２９ｂ，２９ｂから延長形成された延長部２９ｃ，２９ｃがカバー２の前面部２０の背面に弾接して、カバー２を前方方向（図６中の右回りの回転方向）に回動させる付勢力を与えるようになっている。つまり、カバー２は、上端部がボディ１に対して心棒２８を中心に回動自在に枢支されており、ばね体２９によって下端側がボディ１の前面部より前方方向へ回動する付勢力が与えられている。
【００３３】
その後、ボディ１の背部１１ｄに後方から張力止め具５を近付けて、ボディ１の弾性係止片１８，１８を張力止め具５の貫通孔５５，５５内に挿入して、主部５１の背面側に突出させ、各弾性係止片１８の先端の係止爪１８ａを貫通孔５５の孔縁に引掛係止させることで、張力止め具５をボディ１に装着する。
【００３４】
以上のようにカバー２にアダプタ３を装着し、このカバー２をボディ１に取り付けるとともに、ボディ１の背面側に張力止め具５を装着することで光コンセントＡの組立が完了する。図３及び図６（ａ）は、ばね体２９の付勢力に抗してカバー２を図６中左回りに回転させ、カバー２の下端の係止突片２０ａを可撓片１５ａの弾性力を利用して係止孔１５ｂに係止させた状態を示しており、このときカバー２は前面部２０の前面をボディ１の前面（突出部１４および押しボタン１５の前面）と略同一高さとした状態に保持され、前面部２０の背方に取り付けたアダプタ３はボディ１の内部に収納された収納状態となる（この状態が非使用状態となる。）。
【００３５】
そして、この非使用状態においてボディ１の前面に露出する押しボタン１５を下向き加減に押操作すると、可撓片１５ａの前側部分が下側に撓んで、係止突片２０ａの先端が係止孔１５ｂから離脱し、カバー２がばね体２９の付勢力を受けて心棒２８を中心に図６中右回りに回転する。カバー２の下端部が前方へ回動すると、カバー２の両脚片２２に設けた係合爪２２ａが、ボディ１の左右の周壁１１ａの内側面に設けたリブ１６の後端と係止することで、カバー２の前方方向への回転が規制されて、上端部から下端部にかけて前面部２０が下り傾斜するようにボディ１の前部より前方へ突出することになり、前面部２０の下端部とボディ１の前部との間からプラグ挿入口２３ａが外部に臨むことになる。この突出状態がプラグ接続を行う使用状態となり、この状態ではカバー２に装着された押さえ金具４の係止突片４５が可撓片１５ａの係止孔１５ｂに係入し、係止突片４５が係止孔１５ｂの後縁に係止することで、カバー２の後方への回転が規制されて、カバー２が前方に突出した状態を保持する（図５、図６（ｂ）および図８参照）。
【００３６】
この使用状態において、室内側の通信設備からの光ファイバケーブルの先端に接続されたＳＣ形のプラグをプラグ挿入口２３ａに挿入すると、プラグによって保護扉２５，２５が開けられて、プラグ接続部３１にＳＣ形のプラグが接続される。この時、アダプタ３のプラグ接続部３２に接続されたＭＵ形のプラグと、プラグ接続部３１に接続されたＳＣ形のプラグとがＰＣ接続され、２つの光ファイバケーブルの間が光学的に結合される。
【００３７】
さらに、接続したＳＣプラグを抜いた後、この状態から押しボタン１５を下向き加減に押操作して、可撓片１５ａの前側部分を下側に撓ませると、押さえ金具４の係止突片４５が係止孔１５ｂから離脱する。そして係止突片４５と係止孔１５ｂとの係止状態が外れた状態で、カバー２の下側部をばね体２９の付勢力に抗して後方（ボディ１の前部側）へ押圧し、心棒２８を中心に図６中左回りに回転させると、カバー２がボディ１の開口１ａ内に収納される。このとき、カバー２の下端の係止突片２０ａが可撓片１５ａの弾性力を利用して係止孔１５ｂに係止することで、カバー２の前面部２０の前面がボディ１の前面と略同一高さとなり、前面部２０の背方に取り付けたアダプタ３がボディ１の内部に収納された収納状態となる。ここに、ばね体２９と押しボタン１５を有する可撓片１５ａとでカバー２およびアダプタ３をポップアップさせるポップアップ機構が構成される。
【００３８】
次に本実施形態の光コンセントＡを、造営構造物を構成する壁パネルやコンクリート壁のような壁の室内側に開口するよう、壁に埋設した埋込ボックス（図示せず）からなる取付穴に配設する施工について説明する。
【００３９】
まず、ボディ１の背部１１ｄに装着された張力止め具５を後側に引っ張ることで、係止爪１８ａと貫通孔５５との係止状態を解除させ、張力止め具５をボディ１から取り外す。そして、取付枠８の窓孔８１に背方からカバー２の前面部２０ａを嵌め込み、ボディ１の一方の被係止爪１２ａを側片８３ａの係止孔に挿入した後、ボディ１の他方の被係止爪１２ａを側片８３ｂの係止部８８ａに挿入することによって、ボディ１を取付枠８に取り付ける。
【００４０】
次に、造営構造物の内側（壁パネルの場合には壁パネルの裏側の壁内、コンクリート壁の場合にはコンクリート壁内）に先行配線され、壁に埋設された埋込ボックス内に導入されている光ファイバケーブルＢの先端に接続されたプラグ（図示せず）をボディ１の上側の周壁１１ｂに設けた切欠１１ｆを通してボディ１内に挿入し、カバー２に保持されたアダプタ３のプラグ接続部３２に差し込んで、アダプタ３に接続する。
【００４１】
光ファイバケーブルＢの先端に接続されたプラグをアダプタ３に接続した後、ボディ１の背部に張力止め具５を装着し、ボディ１から斜め上向きに引き出された光ファイバケーブルＢを張力止め具５のガイド部５２に沿わせて下向きに配線し、何れかの引掛突起５３に半周だけ巻付けて上方に導出する（図９参照）。このとき、引掛突起５３の下側の円周面に突設された舌片５３ａに光ファイバケーブルＢが引っ掛かることで、光ファイバケーブルＢの脱落を防止できるようになっている。そして、アダプタ３の装着後、光コンセントＡの背部を埋込ボックス内に収納し、取付枠８の上下の側片８２に設けた長孔８４を利用して埋込ボックスにねじ固定し、取付枠８の前面側に係止爪やねじなどで化粧プレート９を取り付け、化粧プレート９の開口窓９ａから光コンセントＡの前部を外部に露出させて施工を完了する。
【００４２】
ここで、従来は光コンセントＡまでの距離が現場毎に異なるため、施工現場にて先行配線された光ファイバケーブルＢを切断して、その先端にプラグを接続する作業が必要であったが、切断作業やプラグの接続作業を行うために高価な専用工具を用意しなければならず、また作業に熟練を要するという問題があった。そこで、光ファイバを螺旋状に形成することで伸縮性を持たせ、その先端に予めプラグが接続されている光カールコードを先行配線に用いることが望まれており、このような光カールコードを用いた場合は、光コンセントＡの設置位置までの距離に合わせて光カールコードを伸長させることで、施工現場での光ファイバケーブルＢの切断作業、およびコネクタの接続作業が不要になり、また取付後に光カールコードが縮むことで光ファイバケーブルＢの余長処理も不要になる。ここで、光カールコードは先行配線に用いる場合など狭い配管内を通すことがあるので、先端に接続するプラグには、室内側の通信設備で使用されるＳＣ形のプラグに比べて小型のＭＵ形のプラグを用いているが、本実施形態の光コンセントＡでは、アダプタ３が種類の異なるプラグ同士を光学的に結合する機能を有しており、室内側の通信設備からの光ファイバケーブルに接続されたＳＣ形のプラグと、造営構造物に配線された光ファイバケーブルに接続されたＭＵ形のプラグの間を光学的に結合した状態で保持するものであるから、先行配線にＭＵ形のプラグが予め接続されている光カールコードを用いることができ、施工現場での光ファイバケーブルの切断作業やプラグの接続作業を無くすことで、高価な専用工具を用意する必要が無くなり、また熟練を要する作業も無くなるので、施工作業の作業性を向上させることができた。
【００４３】
また、施工後は光カールコードが光コンセントまでの距離に合わせて縮むため、光ファイバケーブルの余長処理が不要になって、施工性がさらに向上し、且つ、光カールコードをガイド部５２に沿わせて下向きに配線した後、引掛突起５３に半周だけ巻付けてから上側に導出することで、光ファイバケーブルＢに加わる張力を引掛突起５３で受けることができるから、光ファイバケーブルＢの先端に設けたプラグがアダプタ３から抜けるのを防止できる。
【００４４】
なお、光ファイバケーブルＢを引掛突起５３にもう１周巻付けてから上側に導出するようにしても良く、張力止めの効果をさらに高めることができる。また、引掛突起５３は張力止め具５の主部５１の上側部に左右方向に並べて３個形成されているので、配線ダクトの埋込ボックスへの取付位置などに合わせて最適な引掛突起５３を選んで光ファイバケーブルＢを巻付けることができる。なお、引掛突起５３の半径やガイド部５２の曲率半径、および、ガイド部５２から引掛突起５３までの距離などの寸法は、光ファイバケーブルＢをどの方向に通して巻付けたとしても、光ファイバケーブルＢの曲げ半径が最小許容曲げ半径以上となるような寸法に設定してある。また、張力止め部の形態は上記のものに限定されるものではなく、光ファイバケーブルＢを引掛係止して張力止めを行えるのであれば、その形状は問わない。
【００４５】
（実施形態２）
本発明の実施形態２を図１０〜図１３に基づいて説明する。尚、実施形態２の説明では特に断りが無い限り、図１１（ａ）に示す向きにおいて上下左右の方向を規定し、同図（ａ）中の正面を前面とする。したがって、同図（ｂ）における左端は後端となる。
【００４６】
本実施形態の光コンセントＡ’は、造営構造物を構成する壁の室内側の表面に露設される露設形のコンセントであり、アダプタ３と、アダプタ３を保持するとともに造営構造物に設置される合成樹脂製のボディ６と、アダプタ３を覆うようにしてボディ６に被着される合成樹脂製のカバー７とを主要な構成として備え、ボディ６とカバー７とで略箱形のケースが構成される。
【００４７】
アダプタ３は、実施形態１で説明したものと共通の構成を有しており、室内側の通信設備で一般的に使用されるＳＣ形のプラグと、ＳＣ形に比べて小型のＭＵ形のプラグとを光学的に結合した状態で保持する機能を有している。すなわち、アダプタ３は、造営構造物の室内側にある通信設備からの光ファイバケーブルに接続された汎用のＳＣ形プラグを後述のプラグ挿入口６２ｂを通してプラグ接続部３１に接続するとともに、屋外から引き込まれて造営構造物の表面にモールなどを用いて露出配線された光ファイバケーブルに接続されている小型のＭＵ形プラグを後述のノックアウト６７を通してプラグ接続部３２に接続することができる。
【００４８】
カバー７はボディ６の前面に対向配置される縦長の主部７１を有し、この主部７１の上側および左右両側の３辺からは後方に向かって周部７２が一体に延出しており、後面および下面が開口した略箱形に形成されている。主部７１の略下半分は前方に膨出しており、下側部の背面にはボディ６側に突出する突条７３が左右方向に並べて複数並設されている。また、左右両側の周部７２の後縁からは、内側（左右方向における中心方向）に向かって係止片７４が突出しており、各係止片７４の前面の下端部には係止突起７４ａが突設されている。
【００４９】
一方、ボディ６は縦長の矩形板状の主部６１を有しており、主部６１の下側辺からは前方に突出する縦壁６２が一体に立設され、下側辺を除く３辺からは縦壁６２よりも突出量の小さい側部６１ａが前方に延出している。主部６１の上下方向略中央には一対のねじ挿通孔６９，６９が貫設されており、ねじ挿通孔６９にタッピングねじのような固定ねじ（図示せず）を挿通して、造営構造物を構成する壁パネルなどにねじ込むことによって、ボディ６を造営構造物にねじ固定できるようになっている。また、左右両側の側部６１ａの下半分は、上半分よりも幅広に形成されており、この幅広部６１ｂ，６１ｂの内側縁（ボディ６の左右方向中央部に近い側）からは前方に突出するガイド壁６８，６８が一体に延出形成され、各ガイド壁６８，６８の下側部の前縁からは外側に向かって係止片６８ａ，６８ａが突設されている。
【００５０】
而して、ボディ６にカバー７を取り付ける際には、ボディ６の主部６１に、カバー７を上側から下側へスライドさせて被せると、カバー７の左右両側の周部７２に設けた係止片７４がボディ６の主部６１と係止片６８ａとの間に挿入され、カバー７の下側縁が縦壁６２の周部に当接する位置までカバー７をスライド移動させると、係止片７４の係止突起７４ａが係止片６８ａの後面に設けた突起６８ｂを乗り越え、係止突起７４ａが突起６８ｂと係止することでカバー７の抜けが防止される。この時、カバー７の突条７３の下端部が縦壁６２に当接することで、カバー７の下側への移動が規制され、またカバー７の係止片７４が、ボディ６のガイド壁６８および係止片６８ａと当接することで、カバー７の前後方向および左右方向への移動が規制される。なお、カバー７を取り外す際には、カバー７を上側にスライド移動させると、係止突起７ａと突起６８ｂとの係止状態が外れるので、カバー７をボディ６から容易に取り外すことができる。
【００５１】
また、主部６１の前面の略下半分には、アダプタ３の後面と当接する３本の突条６３が長手方向に沿って形成されており、３本の突条６３を挟んだ左右両側部にはプラグ接続部３２の左右両側面をガイドする一対のガイド片６４ａ，６４ａと、プラグ接続部３１の左右両側面をガイドする一対のガイド片６４ｂ，６４ｂとが上下に間隔を空けて突設されている。ガイド片６４ａ，６４ｂの間の隙間はアダプタ３の鍔３３が嵌る溝６５となり、下側のガイド片６４ｂ，６４ｂの対向面先端部には、プラグ接続部３２の前面側の角に引掛係止する爪６４ｃ，６４ｃが突設されている。
【００５２】
而して、アダプタ３の向きを合わせて、アダプタ３の鍔３３が溝６５内に挿入されるようにしてアダプタ３を主部６１に近付けると、プラグ接続部３１，３２の左右両側面にそれぞれガイド片６４ａ，６４ｂが当接し、プラグ接続部３２の角部にガイド片６４ｂの爪６４ｃが引掛係止することによってアダプタ３がボディ６に取着される。ここで、縦壁６２はプラグ接続部３２に対向しており、縦壁６２の略中央には、造営構造物の室内側の通信設備からの光ファイバケーブルの先端に設けられたＳＣ形のプラグが挿入されるプラグ挿入口６２ａが開口している。このプラグ挿入口６２ａは保護扉６２ｂ，６２ｂによって開閉自在に閉塞されており、レーザ光の外部への漏出を保護扉６２ｂ，６２ｂで防止している。なおアダプタ３を取り外す際には、ガイド片６４ｂの先端部を外側に押して爪６４ｃの係止を解除すれば、アダプタ３をボディ６から容易に取り外すことができる。
【００５３】
また、主部６１の上側部には、主部６１を前後方向に貫通する角孔状の挿通孔６６が左右方向に３個並べて貫設されている。各々の挿通孔６６に望む側部６１ａの部位には、左右両端部を薄肉に形成することによって、薄肉部６７ａ，６７ａの間の部位にノックアウト６７を形成してあり、薄肉部６７ａ，６７ａをカッターやニッパーなどで切断してノックアウト６７を切り取ることで、光ファイバケーブルの挿通口を容易に形成できるようになっている。すなわち、ボディ６の上側の側部６１ａ（造営構造物への取付面以外の側面）には、左右方向の両側部および中央部に合計３個のノックアウト６７が形成されている。
【００５４】
以上のような構成の光コンセントＡ’を造営構造物を構成する壁に施工するに当たっては、先ずボディ６の挿通孔６９，６９にタッピングねじのような固定ねじを挿通し、造営構造物（例えば石膏ボードよりなる壁）に螺入することによってボディ６を造営構造物に固定する。次に、屋外から引き込まれた光ファイバケーブルを造営構造物（壁）の表面に露出配線し、この光ファイバケーブルの先端に予め接続されているＭＵ形のプラグ（第２のプラグ）をアダプタ３のプラグ接続部３２に接続する。その後、光ファイバケーブルをケース内部に導入するために、何れかのノックアウト６７の薄肉部６７ａ，６７ａをカッターやニッパーなどで切断し、ノックアウト６７を切り取ってできた挿入口に光ファイバケーブルを通した状態で、アダプタ３の鍔３３が溝６５内に嵌るようにして、プラグ接続部３２をガイド片６４ａ，６４ａ間に挿入するとともに、プラグ接続部３１をガイド片６４ｂ，６４ｂ間に挿入し、プラグ接続部３１の前面側の角にガイド片６４ｂの爪６４ｃを引掛係止させることで、アダプタ３をボディ６に保持させる。そして、ボディ６の主部６１に、カバー７を上側から下側へスライドさせて被せると、カバー７の係止片７４がボディ６の主部６１と係止片６８ａとの間に挿入され、カバー７の下側縁が縦壁６２の周部に当接する位置までカバー７をスライド移動させると、係止片７４の係止突起７４ａが係止片６８ａの突起６８ｂと係止することでカバー７がボディ６に装着される。
【００５５】
この組立完了状態において、アダプタ３のプラグ接続部３１は縦壁６２のプラグ挿入口６２ａと対向配置され、室内側の通信設備からの光ファイバケーブルの先端に接続されたＳＣ形のプラグをプラグ挿入口６２ａに挿入すると、プラグによって保護扉６２ｂ，６２ｂが開けられて、プラグ接続部３１にＳＣ形のプラグが接続される。この時、アダプタ３によりＳＣ形のプラグとＭＵ形のプラグとがＰＣ接続され、２つの光ファイバケーブルの間が光学的に結合される。
【００５６】
ここで、アダプタ３は種類の異なるプラグ（ＳＣ形とＭＵ形）同士を光学的に結合する機能を有しており、一般的に用いられるＳＣ形のプラグよりも小型のＭＵ形のプラグを接続することが可能なので、屋外から引き込まれる光ファイバケーブルの先端にＭＵ形のプラグを予め接続したものを用いることができ、配線を引き込むのに必要な通線用のスペースを小さくできる。
【００５７】
また、コンセント本体（ケース）を構成するボディ６の側部６１ａ（造営構造物への取付面以外の側面）において、取付面と略平行な方向の両側位置を少なくとも含む複数の位置（本実施形態では中央および左右両側の３箇所）にノックアウト６７を形成しているので、図１３に示すように光コンセントＡ’のケースを部屋の隅に設置する際に、同図（ａ）のようにケースの右側面を取付面１００ａの右端にある柱１００ｂに近接させて設置する場合は、右端のノックアウト６７を除いてできた挿入口から光ファイバケーブルＢを入線すれば、他のノックアウト６７から入線する場合に比べて光ファイバケーブルＢを部屋の隅により近付けて配線することができ、配線の見栄えを良くできる。また同図（ｂ）のようにケースの左側面を取付面１００ａの左端にある柱１００ｃに近接させて設置する際は、左端のノックアウト６７を除いてできた挿入口から光ファイバケーブルＢを入線すれば、他のノックアウト６７から入線する場合に比べて光ファイバケーブルＢを部屋の隅により近付けて配線することができ、配線の見栄えを良くできる。またケースを部屋の壁の中央付近に設置する場合は、中央にあるノックアウト６７を除いてできた挿入口から光ファイバケーブルを入線すれば、ケースの左右方向略中央に光ファイバケーブルを入線することができ、配線の見栄えを良くできる。
【００５８】
このように、コンセント本体（ケース）を構成するボディ６には、造営構造物への取付面以外の側面において、取付面と略平行な方向の両側位置を少なくとも含む複数の位置に通線用のノックアウト６７を設けているので、設置場所に合わせたノックアウト６７を選んで使用することができ、配線の施工性が向上するという利点がある。なお、造営構造物を構成する壁などに穿設した孔を通してコンセント本体の内部に光ファイバケーブルを導入する場合は、壁に穿設した孔と挿通孔６６とが連通するようにボディ６を造営構造物に固定し、壁に穿設された孔と挿通孔６６とを通して光ファイバケーブルをコンセント本体内部に導入すれば良い。
【図面の簡単な説明】
【００５９】
【図１】実施形態１の光コンセントを前方から見た分解斜視図である。
【図２】同上を後方から見た分解斜視図である。
【図３】同上のカバーが閉じた状態を示し、（ａ）は正面図、（ｂ）は左側面図、（ｃ）は上面図、（ｄ）は下面図である。
【図４】同上の背面図である。
【図５】同上のカバーを開けた状態を示し、（ａ）は正面図、（ｂ）は左側面図、（ｃ）は上面図、（ｄ）は下面図である。
【図６】同上を示し、（ａ）はカバーを閉じた状態の断面図、（ｂ）はカバーを開けた状態の断面図である。
【図７】同上の施工前の状態を説明する分解斜視図である。
【図８】同上のカバーを開けた状態の外観斜視図である。
【図９】同上を後方から見た外観斜視図である。
【図１０】実施形態２の光コンセントの分解斜視図である。
【図１１】同上を示し、（ａ）は正面図、（ｂ）は左側面図、（ｃ）はＣ−Ｃ断面図、（ｄ）は上面図、（ｅ）は下面図である。
【図１２】同上のボディの正面図である。
【図１３】（ａ）（ｂ）は同上の施工状態の説明図である。
【符号の説明】
【００６０】
Ａ  光コンセント
１  ボディ
１ａ  開口
２  カバー
３  アダプタ
【図１】
2006119231.tif 000003
【図２】
2006119231.tif 000004
【図３】
2006119231.tif 000005
【図４】
2006119231.tif 000006
【図５】
2006119231.tif 000007
【図６】
2006119231.tif 000008
【図７】
2006119231.tif 000009
【図８】
2006119231.tif 000010
【図９】
2006119231.tif 000011
【図１０】
2006119231.tif 000012
【図１１】
2006119231.tif 000013
【図１２】
2006119231.tif 000014
【図１３】
2006119231.tif 000015